(57)【要約】【課題】携帯電話とパソコンとの組み合わせにより、携帯電話にコンテンツを直接ダウンロードするよりダウンロード時間の短縮、通信費の軽減等を実現し得る、ダウンロード方法、情報受信システム、プログラム及び携帯電話の提供。【解決手段】携帯電話機１から無線回線網を通じて基地局２、センター３、インターネット４経由でコンテンツ供給サイト５にアクセスし、選択したコンテンツの購入予約情報のみをダウンロードする。次に、ユーザが購入予約情報がダウンロードされた携帯電話機１をパソコン７に接続されているクレードル６に装着すると、購入予約情報がクレードル６、パソコン７、インターネット４を介してコンテンツ供給サイト５に送信され、コンテンツ供給サイト５から購入予約されたコンテンツがパソコン７にダウンロードされる。【選択図】  図１
2005011148.tif 000002
【特許請求の範囲】
【請求項１】
コンテンツ供給サイトから携帯電話によりコンテンツをダウンロードするダウンロード方法において、
前記携帯電話は、
無線回線網及びインターネットを介して複数のコンテンツを格納したデータベースを備えたコンテンツ供給サイトと接続するステップと、所望のコンテンツのダウンロード予約を前記コンテンツ供給サイトとの間で行うステップと、前記ダウンロード予約したコンテンツのダウンロード予約情報を前記コンテンツ供給サイトから受信するステップと、受信したダウンロード予約情報をメモリに記憶するステップと、インターネットに接続可能なコンピュータに接続されているクレードルへの携帯電話装着を検出するステップと、前記クレードルへの装着検出後、前記メモリに記憶されているダウンロード予約情報を前記クレードルを介して前記コンピュータに転送するステップとを含み、
前記コンピュータは、
該コンピュータをインターネットに接続するステップと、インターネットを介して前記コンテンツ供給サイトに前記ダウンロード予約情報を含むコンテンツ送信要求を送信するステップと、前記コンテンツ送信要求に基づき、予約したコンテンツを前記コンテンツ供給サイトから該コンピュータにダウンロードさせるステップとを含む、
ことを特徴とするコンテンツダウンロード方法。
【請求項２】
コンテンツ供給サイトから携帯電話によりコンテンツをダウンロードするダウンロード方法において、
前記携帯電話は、
無線回線網及びインターネットを介して複数のコンテンツを格納したデータベースを備えたコンテンツ供給サイトと接続するステップと、所望のコンテンツの購入を前記コンテンツ供給サイトとの間で行うステップと、前記購入したコンテンツの購入成約情報を前記コンテンツ供給サイトから受信するステップと、受信した購入成約情報をメモリに記憶するステップと、インターネットに接続可能なコンピュータに接続されているクレードルへの前記携帯電話の装着を検出するステップと、前記クレードルへの装着検出後、前記メモリに記憶されている購入成約情報を前記クレードルを介して前記コンピュータに転送するステップと、を有し、
前記コンピュータは、
インターネットに接続するステップと、インターネットを介して前記コンテンツ供給サイトに前記購入成約情報を含むコンテンツ送信要求を送信するステップと、前記コンテンツ送信要求に基づき、購入したコンテンツを前記コンテンツ供給サイトからダウンロードするステップと、を有することを特徴とするダウンロード方法。
【請求項３】
更に、前記コンピュータから前記クレードルを介して該クレードルに装着されている携帯電話に前記コンテンツ供給サイトから受信したコンテンツを転送するステップを備えたことを特徴とする請求項１又は２記載のダウンロード方法。
【請求項４】
情報供給サイトから携帯電話により情報を受信する情報受信システムにおいて、
前記携帯電話は、
無線回線網及びインターネットを介して複数の暗号化されたコンテンツを格納したデータベースを備えた情報供給サイトと接続する手段と、所望の情報の購入予約を前記情報供給サイトとの間で行う手段と、前記購入予約した情報に対応する暗号化情報の解号情報及び購入予約情報を前記情報供給サイトから受信する手段と、受信した解号情報および購入予約情報をメモリに記憶する手段と、インターネットに接続可能なコンピュータに接続されているクレードルへの前記携帯電話の装着を検出する手段と、前記クレードルへの装着検出後、前記メモリに記憶されている解号情報および購入予約情報を前記クレードルを介して前記コンピュータに転送する手段とを備え、
前記コンピュータは、
インターネットに接続する手段と、インターネットを介して前記情報供給サイトに前記購入予約情報を含む情報送信要求を送信する手段と、前記情報送信要求に基づき、購入予約した情報に対応する暗号化情報を前記情報供給サイトからダウンロードする手段と、該ダウンロードした暗号化情報を前記受信した解号情報を基に解号する手段とを備える、
ことを特徴とする情報受信システム。
【請求項５】
情報供給サイトから携帯電話により情報を受信する情報受信システムにおいて、
前記携帯電話は、無線回線網及びインターネットを介して複数の暗号化された情報を格納したデータベースを備えた情報供給サイトと接続する手段と、所望の情報の購入を前記情報供給サイトとの間で行う手段と、前記購入した情報に対応する暗号化情報の解号情報及び購入した情報の購入成約情報を前記情報供給サイトから受信する手段と、受信した解号情報および購入成約情報をメモリに記憶する手段と、インターネットに接続可能なコンピュータに接続されているクレードルへの前記携帯電話の装着を検出する手段と、前記クレードルへの装着検出後、前記メモリに記憶されている解号情報および購入成約情報を前記クレードルを介して前記情報表示兼情報出力端末に転送する手段と、を含み、
前記コンピュータは、
インターネットに接続する手段と、インターネットを介して前記情報供給サイトに前記購入成約情報を含むコンテンツ送信要求を送信する手段と、前記情報送信要求に基づき、購入した情報に対応する暗号化情報を前記コンテンツ供給サイトからダウンロードさせる手段と、前記ダウンロードさせた暗号化情報を前記受信した解号情報を基に解号する手段と、を含む、
ことを特徴とする情報受信システム。
【請求項６】
更に、前記コンピュータから前記クレードルを介して該クレードルに装着されている携帯電話に前記解号された情報を転送する手段を備えたことを特徴とする請求項４又は５記載の情報受信システム。
【請求項７】
請求項４記載の情報受信システムのコンピュータにおいて、前記携帯電話と連携して実行されるプログラムであって、
前記コンピュータをインターネットに接続するプログラムステップと、インターネットを介して前記コンテンツ供給サイトに前記購入予約情報を含むコンテンツ送信要求を送信するプログラムステップと、前記コンテンツ送信要求に基づき、予約したコンテンツを前記コンテンツ供給サイトから該コンピュータにダウンロードさせるプログラムステップと、該コンピュータから前記クレードルを介して該クレードルに装着されている携帯電話に前記コンテンツ供給サイトから受信したコンテンツを転送するプログラムステップと、を含むことを特徴とするプログラム。
【請求項８】
請求項５記載の情報受信システムのコンピュータで実行され、前記携帯電話と連携して実行されるプログラムであって、
前記コンピュータをインターネットに接続するプログラムステップと、インターネットを介して前記コンテンツ供給サイトに前記購入成約情報を含むコンテンツ送信要求を送信するプログラムステップと、前記コンテンツ送信要求に基づき、購入したコンテンツを前記コンテンツ供給サイトからダウンロードするプログラムステップと、該コンピュータから前記クレードルを介して該クレードルに装着されている携帯電話に前記コンテンツ供給サイトから受信したコンテンツを転送するプログラムステップと、を含むことを特徴とするプログラム。
【請求項９】
コンテンツ供給サイトからコンテンツをダウンロードすることのできる携帯電話であって、
無線回線網及びインターネットを介して複数のコンテンツを格納したデータベースを備えたコンテンツ供給サイトと接続する手段と、所望のコンテンツの申し込みを前記コンテンツ供給サイトとの間で行う手段と、前記申し込んだコンテンツの契約情報を前記コンテンツ供給サイトから受信する手段と、受信した契約情報をメモリに記憶する手段と、インターネットに接続可能なコンピュータに接続されているクレードルへの該携帯電話の装着を検出する手段と、前記クレードルへの装着検出後、前記メモリに記憶されている契約情報を前記クレードルを介して前記コンピュータに転送する手段と、前記コンピュータから、前記契約情報を元にインターネットを介して前記コンテンツ供給サイトからダウンロードされたコンテンツを、前記クレードルを介して受信する手段と、を備えたことを特徴とする携帯電話。
【発明の詳細な説明】
【０００１】
【発明の属する技術分野】
本発明は、携帯電話などの携帯情報端末からインターネットのコンテンツを利用するための方法及びシステムに関する。
【０００２】
【従来の技術】
インターネットを介して、文字、静止画、音楽、動画などの様々なコンテンツをパーソナルコンピュータ（以下、パソコンと記す）にダウンロードし、コンテンツを再生することで、当該コンテンツを視聴することができる。
【０００３】
また、近年、携帯電話機等の携帯型情報端末を用いてインターネットに接続されたパソコンのユーザと同様、文字、静止画、音楽などの様々なコンテンツを携帯情報端末にダウンロードし、携帯情報端末を用いてコンテンツを再生することで、当該コンテンツを視聴することができる。
【０００４】
しかし、携帯型情報端末によるコンテンツの視聴には、インターネットに接続されたパソコンを用いたコンテンツの視聴とは異なり、移動時間、待ち合わせ時刻までの待ち時間など、ある程度決められた時間範囲の中でコンテンツを視聴することが多くなるので、コンテンツの再生時間の長さによっては周囲の事情によりコンテンツの再生を中断する必要が生じ得る。このような事態の発生を防止するためにコンテンツの再生時間を携帯情報端末に表示できるようにしたものがある（例えば、特許文献１参照）。
【０００５】
また、携帯電話機でコンテンツの検索及び購入予約を行い、代金決済は口座振り込み、クレジット又は代引きにて行い、コンテンツを記憶したＣＤ等をコンビニエンスストアや配送によって引渡すように構成したもの（例えば、特許文献２参照）。
【０００６】
また、コンテンツサーバと、コンテンツ及びコンテンツの宛先（送信先）を指示する通信装置と、インターネットを介してコンテンツサーバから受信したコンテンツを出力する出力装置からなるコンテンツ頒布システムがある（例えば、特許文献３参照）。
【０００７】
また、携帯電話機で印刷用コンテンツのダウンロード予約を行ってこの印刷用コンテンツのＵＲＬを記憶し、その後、その携帯電話機を画像形成装置に接続して、記憶しているＵＲＬ情報を基に印刷用コンテンツをダウンロードして画像形成装置に転送し、ネットワークに接続されていない画像形成装置でも携帯電話機を介して画像情報を出力可能に構成したプリントシステムがある（例えば、特許文献４参照）。
【０００８】
また、携帯電話機でインターネットを介して音楽配信サーバに音楽コンテンツの予約を行い、携帯電話機には予約情報が記憶されるように構成し、次に、携帯電話機をコンビニエンスストアなどにあるオンライン情報端末に接続し（ケーブル又は光通信）、予約情報をオンライン情報端末に送信し、オンライン情報端末は、受信した予約情報を音楽配信サーバに送信し音楽配信サーバから送られてくる音楽コンテンツをダウンロードし、ダウンロードされた音楽コンテンツは、オンライン情報端末に挿入されたＭＤ等の記憶媒体もしくは携帯電話のメモリに記憶されるように構成した情報配信方法がある（例えば、特許文献５参照）。
【０００９】
【特許文献１】
特開２００２−４４１９１号公報
【特許文献２】
特開２００２−０８２６７４号公報
【特許文献３】
特開２００２−２７８８７１号公報
【特許文献４】
特開２００２−１４０２５４号公報
【特許文献５】
特開２００２−１２３６８９号公報
【００１０】
【発明が解決しようとする課題】
携帯電話機等の情報端末へのコンテンツの配信は場所的制約がなく大変便利であるが、画面サイズが小さくて画像が見にくい点や、無線網を介して動画等の大容量のコンテンツを直接ダウンロードすると通信速度が遅かったり、通信料金が高くなったりするので、携帯電話機では大容量コンテンツの入手が不向きであるといった課題がある。
【００１１】
上記特許文献１に記載の発明では、携帯情報端末にコンテンツの再生時間を表示するようにして、大容量のコンテンツを直接ダウンロードする際の不都合（他者への連絡時間の過渡や電話連絡の必要上行うダウンロード中断）をある程度回避できるが完全でなく、画像の見づらさや通信料金が高くなるといった不都合は解消されていないといった課題がある。
【００１２】
また、上記特許文献２に記載の発明では、コンテンツの見出し検索及び購入予約を携帯情報端末で行うので簡便ではあるが、ＣＤ等の記録媒体に格納されたコンテンツを配送等で受け取ってから、パソコン等の再生装置に装着して視聴することとなるので、配送期間がかかり、コンテンツを視聴したいときに迅速に視聴できないといった課題がある。
【００１３】
また、上記特許文献３に記載の発明によれば、携帯電話機等の通信装置からコンテンツを送信する宛先としてファックス番号、メールアドレス、自機（通信装置）を指定できるが、ファックス番号を指定した場合は大容量コンテンツについては出力時間（＝通信時間）がかかって通信料金が高くなるといった不都合が解消されないといった課題があり、メールアドレスを指定した場合は、メールを受信したパソコン上で受信メール一覧を見てから手作業で該当するメールを開いた後、添付ファイルを開くといった手間を必要とするといった課題があり、また、自機（通信装置）をコンテンツ配信先に指定した場合は、一旦自機（通信装置）にコンテンツをダウンロードしてから出力装置に接続してコンテンツを再生することとなるので、大容量コンテンツについては通信装置へのダウンロード時間がかかり通信料金が高くなるといった不都合が解消されないといった課題がある。
【００１４】
また、上記特許文献４に記載の発明によれば、インターネット等のネットワークに接続されていない画像形成装置にも携帯電話機にダウンロードしたコンテンツを出力できるが、大容量コンテンツについては通信装置へのダウンロード時間がかかり通信料金が高くなるといった課題がある。
【００１５】
また、上記特許文献５に記載の発明はパソコンが通信速度の遅い回線網を使用することを前提とし、パソコンで直接コンテンツをダウンロードすると通信経費がかかり過ぎるとして、携帯電話機でコンテンツの購入予約を行って予約情報をメモリに記憶し、その携帯電話機をコンビニエンスストア等の公の場所に設置されているオンライン情報端末に接続して、予約情報を基にコンテンツをオンライン端末を介して記憶媒体又は携帯電話機のメモリにダウンロードするように構成されたものであり、ブロードバンド回線を利用できる現在にあって、自宅にパソコンがあってもわざわざコンビニエンスストアに行って予約したコンテンツをダウンロードしなければならないといった課題がある。
本発明は、上記従来技術の課題を解決するためになされたものであり、携帯電話と自宅等のパソコンとの組み合わせにより、携帯電話にコンテンツを直接ダウンロードする場合に比べコンテンツのダウンロード時間の短縮、通信費の軽減、及び見やすい画像表示を実現し得る、ダウンロード方法、情報受信システム、プログラムおよび携帯電話の提供を目的とする。
【００１６】
【課題を解決するための手段】
上記課題を解決するために、請求項１に記載の発明では、コンテンツ供給サイトから携帯電話によりコンテンツをダウンロードするダウンロード方法において、携帯電話は、無線回線網及びインターネットを介して複数のコンテンツを格納したデータベースを備えたコンテンツ供給サイトと接続するステップと、所望のコンテンツのダウンロード予約をコンテンツ供給サイトとの間で行うステップと、ダウンロード予約したコンテンツのダウンロード予約情報をコンテンツ供給サイトから受信するステップと、受信したダウンロード予約情報をメモリに記憶するステップと、インターネットに接続可能なコンピュータに接続されているクレードルへの携帯電話装着を検出するステップと、クレードルへの装着検出後、メモリに記憶されているダウンロード予約情報をクレードルを介してコンピュータに転送するステップとを含み、コンピュータは、該コンピュータをインターネットに接続するステップと、インターネットを介してコンテンツ供給サイトにダウンロード予約情報を含むコンテンツ送信要求を送信するステップと、コンテンツ送信要求に基づき、予約したコンテンツをコンテンツ供給サイトから該コンピュータにダウンロードさせるステップとを含む、ことを特徴とするコンテンツダウンロード方法を提供する。
これにより、携帯電話で任意の時点に任意の場所からコンテンツ供給サイトに接続して所望のコンテンツの購入予約をしておき、都合のよい時に自宅等に設置してあるパソコン等のコンピュータに接続されたクレードルに携帯電話を装着接続するだけで購入予約情報をクレードル及びコンピュータ経由でコンテンツ供給サイトに送信し、コンテンツ供給サイトからコンピュータに購入予約されたコンテンツをダウンロードするので、携帯電話の通信時間が少なくてすむことから、携帯電話にコンテンツを直接ダウンロードする場合に比べ、通信経費を節約できる。
また、ブロードバンド回線網によりインターネットを利用することにより、大容量コンテンツを高速に入手できる。しかも固定料金制による通信網を利用することにより通信経費がほとんどかからない。また、購入予約をするだけであるため、購入の場合に比べ、取消しが簡単にできる。
【００１７】
また、請求項２に記載の発明によれば、コンテンツ供給サイトから携帯電話によりコンテンツをダウンロードするダウンロード方法において、携帯電話は、無線回線網及びインターネットを介して複数のコンテンツを格納したデータベースを備えたコンテンツ供給サイトと接続するステップと、所望のコンテンツの購入をコンテンツ供給サイトとの間で行うステップと、購入したコンテンツの購入成約情報をコンテンツ供給サイトから受信するステップと、受信した購入成約情報をメモリに記憶するステップと、インターネットに接続可能なコンピュータに接続されているクレードルへの携帯電話の装着を検出するステップと、クレードルへの装着検出後、メモリに記憶されている購入成約情報をクレードルを介してコンピュータに転送するステップと、を有し、コンピュータは、インターネットに接続するステップと、インターネットを介してコンテンツ供給サイトに購入成約情報を含むコンテンツ送信要求を送信するステップと、コンテンツ送信要求に基づき、購入したコンテンツをコンテンツ供給サイトからダウンロードするステップと、を有することを特徴とするダウンロード方法を提供する。
これにより、請求項１記載のコンテンツ購入システムと同様、携帯電話にコンテンツを直接ダウンロードする場合に比べ、通信経費を節約できる。また、ブロードバンド回線網によりインターネットを利用することにより、大容量コンテンツを高速に入手できる。しかも固定料金制による通信網を利用することにより通信経費がほとんどかからない。
【００１８】
また、請求項３に記載の発明では、更に、コンピュータからクレードルを介して該クレードルに装着されている携帯電話にコンテンツ供給サイトから受信したコンテンツを転送するステップを備えたことを特徴とする請求項１又は２記載のダウンロード方法を提供する。
これにより、例えば、音楽や地図等のコンテンツをコンピュータから携帯電話機に転送し、メモリに記憶しておき適宜音楽を聴取して楽しんだり、訪問先の近くで地図を閲覧して位置を確認したりできる。
【００１９】
また、請求項４記載の発明では、情報供給サイトから携帯電話により情報を受信する情報受信システムにおいて、携帯電話は、無線回線網及びインターネットを介して複数の暗号化されたコンテンツを格納したデータベースを備えた情報供給サイトと接続する手段と、所望の情報の購入予約を情報供給サイトとの間で行う手段と、購入予約した情報に対応する暗号化情報の解号情報及び購入予約情報を情報供給サイトから受信する手段と、受信した解号情報および購入予約情報をメモリに記憶する手段と、インターネットに接続可能なコンピュータに接続されているクレードルへの携帯電話の装着を検出する手段と、クレードルへの装着検出後、メモリに記憶されている解号情報および購入予約情報をクレードルを介してコンピュータに転送する手段とを備え、コンピュータは、インターネットに接続する手段と、インターネットを介して情報供給サイトに購入予約情報を含む情報送信要求を送信する手段と、情報送信要求に基づき、購入予約した情報に対応する暗号化情報を情報供給サイトからダウンロードする手段と、該ダウンロードした暗号化情報を受信した解号情報を基に解号する手段とを備える、ことを特徴とする情報受信システムを提供する。
これにより、暗号化したコンテンツを提供できるので、コンピュータでのコンテンツの閲覧又は聴取、或いは携帯電話へ送信するコンテンツはその都度、暗号化された（購入済の）コンテンツを解号しなければならないようにしておくことにより、コンテンツの不正なコピーを防止できる。また、請求項１記載のコンテンツダウンロード方法と同様、携帯電話機の通信時間が少なくてすむことから、携帯電話機にコンテンツを直接ダウンロードする場合に比べ、通信経費を節約できる。また、ブロードバンド回線網によりインターネットを利用することにより、大容量コンテンツを高速に入手できる。しかも固定料金制による通信網を利用することにより通信経費がほとんどかからない。また、購入予約をするだけであるため、購入の場合に比べ、取消しが簡単にできる。
【００２０】
また、請求項５に記載の発明では、情報供給サイトから携帯電話により情報を受信する情報受信システムにおいて、携帯電話は、無線回線網及びインターネットを介して複数の暗号化された情報を格納したデータベースを備えた情報供給サイトと接続する手段と、所望の情報の購入を情報供給サイトとの間で行う手段と、購入した情報に対応する暗号化情報の解号情報及び購入した情報の購入成約情報を情報供給サイトから受信する手段と、受信した解号情報および購入成約情報をメモリに記憶する手段と、インターネットに接続可能なコンピュータに接続されているクレードルへの携帯電話の装着を検出する手段と、クレードルへの装着検出後、メモリに記憶されている解号情報および購入成約情報をクレードルを介して情報表示兼情報出力端末に転送する手段と、を含み、コンピュータは、インターネットに接続する手段と、インターネットを介して情報供給サイトに購入成約情報を含むコンテンツ送信要求を送信する手段と、情報送信要求に基づき、購入した情報に対応する暗号化情報をコンテンツ供給サイトからダウンロードさせる手段と、ダウンロードさせた暗号化情報を受信した解号情報を基に解号する手段と、を含む、ことを特徴とする情報受信システムを提供する。
これにより、請求項４記載の情報受信システムと同様に、コンテンツの不正なコピーを防止できる。また、請求項１記載のコンテンツダウンロード方法と同様、携帯電話の通信時間が少なくてすむことから、携帯電話にコンテンツを直接ダウンロードする場合に比べ、通信経費を節約できる。また、ブロードバンド回線網によりインターネットを利用することにより、大容量コンテンツを高速に入手できる。しかも固定料金制による通信網を利用することにより通信経費がほとんどかからない。
【００２１】
また、請求項６記載の発明によれば、更に、コンピュータからクレードルを介して該クレードルに装着されている携帯電話に解号されたコンテンツを転送する手段を備えたことを特徴とする請求項４又は５記載の情報受信システムを提供する。
これにより、請求項３記載のコンテンツダウンロード方法と同様に、例えば、音楽や地図等のコンテンツをコンピュータから携帯電話に転送し、メモリに記憶しておき適宜音楽を聴取して楽しんだり、訪問先の近くで地図を閲覧して位置を確認したりできる。
【００２２】
また、請求項７記載の発明では、請求項４記載の情報受信システムのコンピュータにおいて、携帯電話と連携して実行されるプログラムであって、該コンピュータをインターネットに接続するプログラムステップと、インターネットを介してコンテンツ供給サイトに購入予約情報を含むコンテンツ送信要求を送信するプログラムステップと、コンテンツ送信要求に基づき、予約したコンテンツをコンテンツ供給サイトから該コンピュータにダウンロードさせるプログラムステップと、該コンピュータからクレードルを介して該クレードルに装着されている携帯電話にコンテンツ供給サイトから受信したコンテンツを転送するプログラムステップと、を含むことを特徴とするプログラムを提供する。
これにより、携帯電話にコンテンツを直接ダウンロードする場合に比べ、通信経費を節約できる。また、ブロードバンド回線網によりインターネットを利用することにより、大容量コンテンツを高速に入手できる。しかも固定料金制による通信網を利用することにより通信経費がほとんどかからない。
【００２３】
また、請求項８に記載の発明では、請求項５記載の情報受信システムのコンピュータで実行され、携帯電話と連携して実行されるプログラムであって、コンピュータをインターネットに接続するプログラムステップと、インターネットを介してコンテンツ供給サイトに購入成約情報を含むコンテンツ送信要求を送信するプログラムステップと、コンテンツ送信要求に基づき、購入したコンテンツをコンテンツ供給サイトからダウンロードするプログラムステップと、該コンピュータからクレードルを介して該クレードルに装着されている携帯電話にコンテンツ供給サイトから受信したコンテンツを転送するプログラムステップと、を含むことを特徴とするプログラムを提供する。これにより、請求項７記載のプログラムと同様の効果を期待できる。
【００２４】
また、請求項９に記載の発明では、コンテンツ供給サイトからコンテンツをダウンロードすることのできる携帯電話であって、無線回線網及びインターネットを介して複数のコンテンツを格納したデータベースを備えたコンテンツ供給サイトと接続する手段と、所望のコンテンツの申し込みをコンテンツ供給サイトとの間で行う手段と、申し込んだコンテンツの契約情報をコンテンツ供給サイトから受信する手段と、受信した契約情報をメモリに記憶する手段と、インターネットに接続可能なコンピュータに接続されているクレードルへの該携帯電話の装着を検出する手段と、クレードルへの装着検出後、メモリに記憶されている契約情報をクレードルを介してコンピュータに転送する手段と、コンピュータから、契約情報を元にインターネットを介してコンテンツ供給サイトからダウンロードされたコンテンツを、クレードルを介して受信する手段と、を備えたことを特徴とする携帯電話を提供する。
これにより、携帯電話にダウンロードしたいコンテンツをコンテンツ供給サイトか直接ダウンロードする場合に比べ、通信経費を節約できる。また、例えば、音楽や地図等のコンテンツをコンピュータから携帯電話に転送し、メモリに記憶しておき適宜音楽を聴取して楽しんだり、訪問先の近くで地図を閲覧して位置を確認したりできる。
【００２５】
【発明の実施の形態】
図１は、本発明に基づくコンテンツ購入システムの一実施例を示す図であり、携帯情報端末として携帯電話機を用いた例を示す。なお、本発明において、携帯電話という用語にはＣＤＭＡ、ＧＳＭをはじめとする各種方式の携帯電話、ＰＨＳ、電話機能を内蔵したＰＤＡ、カメラ機能を内蔵した携帯電話などを含む。
【００２６】
コンテンツ購入システム１００において、ユーザは携帯電話機１から無線回線網を通じて基地局２、センター３、インターネット４経由でコンテンツ供給サイト５のコンテンツ購入サービスにアクセスし、入手したいコンテンツを選択し、代金決済関係処理を行った後、選択したコンテンツの本体でなく購入予約情報のみをダウンロードする。
【００２７】
次に、ユーザが購入予約情報がダウンロードされた携帯電話機１をパソコン７に接続されているクレードル６に装着すると、購入予約情報がクレードル６、パソコン７、インターネット４を介してコンテンツ供給サイト５に送信される。
コンテンツ供給サイト５は受信した購入予約情報を基に購入予約されたコンテンツをデータベースから取り出してインターネット４を介してパソコン７にダウンロードする。従って、ユーザはコンテンツを閲覧することができる。また、パソコン７から携帯電話機１にコンテンツを転送することもできる。
【００２８】
コンテンツ供給サイトのコンテンツの例としては、例えば、画像、写真、ユーザやメンバーサーバに保管しておいた撮影画像、プログラム、ＣＭ、ゲーム、書籍、チケット情報などがあるが、これらの例に限定されない。
【００２９】
パソコン７は携帯電話機１と連携してインターネットを介して前記コンテンツ供給サイト５と接続し情報を送受信するプログラムを内蔵している。このプログラムは携帯電話機１に添付されたまたは別売りの記録媒体からパソコン７にインストールするか、インターネットからダウンロードするか、若しくはパソコン７に予めインストールされている。
【００３０】
センター３は各地に点在する基地局２を経由して各携帯電話機１のユーザ情報や電話番号やその端末の位置情報を管理する。センター３は、また、インターネット４と接続されており、携帯電話機１からインターネット４に接続できるように制御している。
【００３１】
クレードル６は、パソコンとの接続用のコネクタを持たない携帯電話機等をパソコンに接続する場合に用いる一種の接続台であり、インターネット４と接続可能なパソコン７と例えばＵＳＢケーブルで接続されており、クレードル６に携帯電話機１を装着することにより、携帯電話機１内部のＲＡＭ２１に記憶されているデータ（本実施の形態では、購入予約情報等）をパソコン７内部の記憶部に転送する。また、クレードル６を介してパソコン７からコンテンツを受信してＲＡＭ２１に記憶することもできる。なお、クレードル６には携帯電話機１のクレードルＩ／Ｆ（インターフェイス）部１６と電気的に接続してデータ受信の接点となる端子部が設けられている。クレードル６は携帯電話を物理的に支持する機能や充電機能を持つことができるが必須でない。
【００３２】
また、本発明は、携帯電話がカメラつき携帯電話であって、そのカメラで撮影した画像をサイトに直接送信、若しくはクレードルとパソコン経由でサイトに送信した画像をコンテンツ供給サイトに保存しておき、それをダウンロードするシステムにも応用できる。
【００３３】
上記構成により、コンテンツ供給サイト５からパソコン７に短時間でコンテンツをダウンロードすることができるので、コンテンツダウンロードに係わる時間及び通信費用を軽減できる。
【００３４】
図２は、携帯電話機１の内部構成例を示すブロック図である。無線送受信部１１は無線によりアンテナ１１１を介して音声信号やデータを送受する。無線信号処理部１２は無線送受信部１１で受信した音声信号やデータを復調したり、無線送受信部１１から送信する音声信号やデータを変調するなどの無線通信に必要な処理を行う。
【００３５】
制御部１３はＲＯＭ２０に格納されている動作プログラムにより、携帯電話機１全体の動作を制御する。動作プログラムにはモード選択プログラム、コンテンツ購入予約モード時に購入予約を行う動作プログラム及びコンテンツ受信モード時にクレードル６を介してパソコン７から購入予約情報をコンテンツ供給サイト５に送信させ、コンテンツ供給サイト５に購入予約したコンテンツを送信させる動作プログラム等を含んでいる。
【００３６】
キー入力部１４は、電源キー、テンキー、送受信開始キー、送受信停止キー、カーソルキー、取り消しキー、決定キー等の各種キーを含みこれらのキーが操作されると対応する信号が制御部１３に送出される。
【００３７】
クレードル装着検出部１５は、光センサ、メカニカルスイッチ等で構成され、携帯電話機１がクレードル６に装着されると装着検出信号を制御部１３に送出する。クレードルへの携帯電話機１の装着検出は制御部１３による定期的アクセスやインタラプト信号検出などのソフトウエア的に実現することもできる。また、クレードルＩ／Ｆ（インターフェイス）部１６はクレードル６の端子部と電気的に接続し、図１に示したように携帯電話機１がクレードル６に装着された際に、ＲＡＭ２１に記憶されている購入予約情報（データ）をクレードルＩ／Ｆ部１６を介してクレードル６と接続されているパソコン７内の記憶部に転送する。また、ドライバ１７は表示部１８を駆動し、画像及びデータを表示させる。
【００３８】
加入者情報記憶部１９は携帯電話１を呼び出すための電話番号やユーザ（加入者）のＩＤ等、プロフィールデータを格納する。ＲＯＭ２０は制御部の動作プログラムが記録されたプログラム格納用ＲＯＭである。また、ＲＯＭ２０には制御プログラムや、コンテンツ購入モードにおける動作プログラム（図４参照）及びコンテンツ受信モードにおける動作プログラム（図６参照）が格納されている。ＲＡＭ２１は無線通信端末として必要な各種データを記憶し、且つ制御部１３が動作する上で必要なプログラムやデータを記憶する。図２で、符号２１１で示される領域は購入予約情報を記憶する購入予約情報記憶エリアである。
【００３９】
音声信号処理部２２はマイク２４から入力された音声信号を符号化処理したり、無線信号処理部１２から出力された信号に基づいて音声信号を復号化してスピーカ２３から出力したりする。ドライバ２５は、スピーカ２６、バイブレータ２７を駆動するためのドライバである。
【００４０】
図３は、コンテンツ供給サイト（＝コンテンツ供給サーバ）５の構成例を示す機能ブロック図である。実際にはプログラムとメモリで実現される。
コンテンツ供給サイト５は、一般にサーバを備えたコンテンツ業者により運営される。携帯電話の事業者と同一か提携関係にある業者が運営することによってより携帯電話で使いやすいコンテンツを提供することが可能である。インターネットを介したサーバとパソコンのデータのやりとりの仕組みは基本的に既存のインターネットサービスと同じである。
【００４１】
コンテンツ供給サイト５は、インターネット４を介して携帯電話機１から送信されるコンテンツ購入予約要求やパソコン７から送信されるコンテンツ送信要求を受信する受信処理部５１と、コンテンツ購入予約要求に基づき、データベース５５への購入予約登録、購入予約情報及び課金額の送信処理部５４への送出等を行う予約処理部５２と、コンテンツ送信要求に基づき、ユーザ認証、課金処理、及びコンテンツの検索と検索したコンテンツの送信処理部への転送を行うコンテンツ送信要求処理部５３と、購入予約情報及び課金額をインターネット４を介して携帯電話機１に送信したり、コンテンツをインターネット４を介してパソコン７に送信する送信処理部５４と、ユーザ情報、予約情報、課金処理情報、及びコンテンツを登録したデータベース５５を備えている。
【００４２】
また、予約処理部５２は予約処理手段５２１と、購入予約登録手段５２２と課金計算手段５２３を含んでいる。
【００４３】
予約処理手段５２１は、受信処理部５１がコンテンツ購入予約要求を受信すると図５に示すような購入予約画面用のＨＴＭＬファイルを送信処理部５４に渡すと共に、データベース５５のコンテンツ５５４にアクセスしてコンテンツの見出し等を検索して送信処理部５４に渡す。購入予約登録手段５２２は、ユーザの選択したコンテンツの識別情報、コンテンツ購入予約要求に含まれているユーザの識別情報（例えば、携帯電話番号）、予約番号、及び課金計算手段５２３から受け取った課金額を含む購入予約情報を生成してデータベース５５の予約情報ファイル５５２に登録すると共に、送信処理部５４に渡す。課金計算手段５２２はユーザが選択したコンテンツの利用料金を計算し予約処理部５２１に渡す。
【００４４】
コンテンツ送信要求処理部５３は、認証手段５３１、課金決済処理手段５３２、及びコンテンツ検索手段５３３を含んでいる。
【００４５】
認証手段５３１は受信処理部５１がコンテンツ送信要求を受信すると、受信したコンテンツ送信要求に含まれているユーザの識別情報、予約番号、及び暗証番号を基にユーザの認証を行う。課金決済処理手段５３２は認証されたユーザの課金決済処理を行う。コンテンツ検索手段５３３はコンテンツ送信要求に含まれているユーザの識別情報及び購入されたコンテンツの識別情報を基にデータベース５５に格納されているコンテンツ５５４を検索して送信処理部５４に渡す。
【００４６】
＜コンテンツ購入予約モード＞
図４はコンテンツ購入予約モードにおける動作プログラムの動作例を示すフローチャートであり、図４（ａ）は携帯電話機１側の動作を示し、図４（ｂ）はコンテンツ供給サイト５側の動作を示す。また、図５はコンテンツ購入予約モードでの携帯電話機１に表示される画面の例を示す図である。
ユーザが携帯電話機１を起動して、コンテンツ購入機能を選択すると、制御部１３はドライバ１７を制御して表示部１８に図５（ａ）に示すようなモード選択画面を表示させてユーザに選択を促す（ステップＳ１）。
【００４７】
ユーザがコンテンツ購入予約モードを選択すると、制御部１３は無線送受信処理部１１を制御して基地局２及びセンター３を経由してインターネット４を介してコンテンツ供給サイト５との接続をさせ、無線送受信処理部１１からコンテンツ供給サイト５宛てユーザの識別番号（この例では、携帯電話番号）を含むコンテンツ購入予約要求をコンテンツ供給サイト５宛て送信させる（ステップＳ２）。
【００４８】
コンテンツ供給サイト５は、携帯電話機１からコンテンツ購入予約要求を受信すると、予約処理手段５２１に送信処理部５４を介して図５（ｂ）に示すような購入予約画面用のＨＴＭＬファイルデータをインターネット４を介してコンテンツ購入予約要求発信元の携帯電話機１に送信させる（ステップＳ３）。
【００４９】
携帯電話機１の制御部１３は、コンテンツ供給サイト５から送信されたデータに基づき図５（ｂ）に示すような分野別コンテンツ選択画面を表示部１８に表示させてユーザに分野別コンテンツの選択を促し（ステップＳ４）、分野が選択されると無線送受信処理部１１を制御して選択された情報をコンテンツ供給サイト５に送信させる（ステップＳ５）。
【００５０】
コンテンツ供給サイト５は、携帯電話機１からコンテンツ購入予約要求を受信すると、予約処理手段５２１にデータベース５５のコンテンツ５５４の詳細な選択用データ（例えば、コンテンツの見出し）を取り出させて送信処理部５４及びインターネット４を介してコンテンツ購入予約要求発信元の携帯電話機１に送信させる（ステップＳ６）。
【００５１】
携帯電話機１の制御部１３は、コンテンツ供給サイト５から送信されたデータに基づき図５（ｃ）に示すような選択画面を表示部１８に表示させてコンテンツ選択用データの選択を促し（ステップＳ７）、コンテンツ選択用データが選択されると無線送受信処理部１１を制御して選択されたコンテンツの識別情報をコンテンツ供給サイト５に送信する（ステップＳ８）。
【００５２】
コンテンツ供給サイト５は、携帯電話機１からコンテンツの識別情報を受信すると、課金計算手段５２３にユーザが選択したコンテンツの利用料金を計算させ（ステップＳ９）、購入予約登録手段５２２にコンテンツの識別情報、ユーザの識別情報、予約番号、及び課金計算手段５２３から受け取った課金額を含む購入予約情報を生成させてデータベース５５の予約情報ファイル５５２に登録させ（ステップＳ１０）、送信処理部５４を介して携帯電話機１に送信させる（ステップＳ１１）。
【００５３】
携帯電話機１の制御部１３は、コンテンツ供給サイト５から購入予約情報を受信すると購入予約情報に含まれている利用料金データを取り出し、図５（ｄ）に示すような利用料金を表示してユーザに購入確認を促し、ユーザが購入確認操作（例えば、カーソルキーで図５（ｄ）の画面の「ＯＫ」ボタンをポイントする）を行うとステップＳ１３に進み、購入拒否操作を行うと無線送受信部１１を介して購入取消し情報をコンテンツ供給サイト５に送信する（ステップＳ１２）。
【００５４】
購入確認操作があった場合は制御部１３は受信した購入予約情報をＲＡＭ２１の購入予約情報記憶エリア２１１に記憶させる（ステップＳ１３）。
【００５５】
コンテンツ供給サイト５は購入取消し情報を受信すると、購入予約登録手段５２２に購入拒否情報送信元の購入予約を予約情報ファイル５５２から削除させる（ステップＳ１４）。
【００５６】
上記図４のフローチャートに示す動作により、携帯電話機１にはユーザの所望するコンテンツの購入予約情報のみが記憶されるので、直接コンテンツをダウロードする場合に比べてコンテンツ購入の際の通信経費がはるかに少なくて済む。また、通信時間が短くて済むので音声通信送受話等に差し支えるようなことが生じない。
【００５７】
なお、上記図４の説明では、説明上、携帯電話機１で購入予約する場合を例としたが、これに限定されない。つまり、「購入予約情報」を「購入成約情報」とし、図３の「予約処理手段５２１」を「購入処理手段５２１」とし、「予約情報ファイル５５２」を「契約情報ファイル５５２」とし、「予約番号」を「契約番号」とし、ステップＳ２の選択モードを「コンテンツ購入予約モード」とし、ステップＳ１１では利用料金のみを携帯電話機１に送信するように構成し、ステップＳ１２の利用料金確認の際、クレジット番号及び暗証番号の入力を求め、入力されたクレジット番号及び暗証番号をコンテンツ供給サイト５に送信するように構成し、コンテンツ供給サイト５側で課金決済処理手段５３２に、決済方法確認処理、例えば、図示しない外部クレジット会社とコンテンツ送信要求元ユーザが入力したユーザがクレジット番号及び暗証番号の確認処理を行い、確認があった場合に、課金情報ファイル５５３に記憶されているコンテンツ送信要求元ユーザの課金データに確認済みフラグと確認日時を記憶し、購入成約情報を携帯電話機１に送信するステップを設けるように構成することにより、携帯電話機１によるコンテンツ購入にも適用できる。
【００５８】
＜コンテンツ受信モード＞
携帯電話機１のユーザが図１に示したように自宅に設置されたクレードル６に携帯電話機１を装着すると、携帯電話機１のＲＡＭ２１に記憶されている購入予約情報がクレードル６が接続されているパソコン７に転送される。なお、説明上、決済方法はクレジット決済としたがこれに限定されない。
【００５９】
図６は、コンテンツ受信モードにおける動作プログラムの動作例を示すフローチャートであり、向かって左側は携帯電話機１側の動作を示し、中央はパソコン７側の動作を、右側はコンテンツ供給サイト５側の動作を示す。
図６で、携帯電話機１がクレードル６に装着されると、携帯電話機１のクレードル装着検出部１５から制御部１３に装着検出信号が送出されるので、制御部１３はクレードル装着検出部１５からの装着検出信号受信の有無を調べ、装着検出信号を受け取った場合はステップＴ２に進む（ステップＴ１）。
【００６０】
携帯電話機１がクレードル６に装着された場合は、制御部１３はドライバ１７を制御して表示部１８に図５（ａ）に示したようなモード選択画面を表示させてユーザにコンテンツ受信モードの選択を促す（ステップＴ２）。ユーザがコンテンツ受信モードを選択すると、制御部１３はＲＡＭ２１に購入予約情報が記憶されているか否かを調べ（ステップＴ３）、購入予約情報が記憶されている場合はその購入予約情報をクレードル６を介してクレードル６に接続しているパソコン７に転送する（ステップＴ４）。クレードル６を介して携帯電話機１から購入予約情報を受信したパソコン７は購入予約情報をメモリに記憶する（ステップＴ５）。
【００６１】
ユーザがコンテンツ供給サイト５との接続操作を行い、インターネット４を介してコンテンツ供給サイト５との接続がなされると、パスワードの入力を促すメッセージが表示されるので、ユーザがパスワードを入力すると（ステップＴ６）、メモリに記憶されている購入予約情報と入力されたパスワードを含むコンテンツ送信要求を生成し、インターネット４を介してコンテンツ供給サイト５宛て生成したコンテンツ送信要求を送信する（ステップＴ７）。
【００６２】
コンテンツ供給サイト５は、受信処理部５１がコンテンツ送信要求を受信すると、認証手段５３１に受信したコンテンツ送信要求に含まれているユーザ識別情報（この例では、携帯電話番号）及びパスワードとデータベース４５のユーザ情報ファイル５５１に登録されているユーザ識別情報（携帯電話番号）及びパスワードを比較してユーザの認証を行わせ、認証済み（一致）の場合はステップＴ９に進み、非認証（不一致）の場合は「取引中止」の旨のメッセージを送信処理部５４を介してパソコン７宛て送信させる（ステップＴ８）。
【００６３】
認証済みの場合は、課金決済処理手段５３２にクレジット番号と暗証番号の入力を求めるメッセージデータを送信処理部５４を介してコンテンツ送信要求元のパソコン７に送信させる（ステップＴ９）。
【００６４】
パソコン７側ではコンテンツ供給サイト５からの決済用メッセージデータを受信するとそれを表示してユーザに入力を促し、ユーザがクレジット番号と暗証番号を入力するとそれをコンテンツ供給サイト５宛て送信する（ステップＴ１０）。
【００６５】
課金決済処理手段５３２は、課金決済処理、例えば、図示しない外部クレジット会社とコンテンツ送信要求元ユーザが入力したユーザがクレジット番号及び暗証番号の確認処理を行い、確認があった場合に、課金情報ファイル５５３に記憶されているコンテンツ送信要求元ユーザの課金額を外部クレジット会社に送信し、課金情報ファイル５５３に記憶されているコンテンツ送信要求元ユーザの課金データに決済済みフラグと決済日時を記憶する（ステップＴ１１）。
【００６６】
次に、コンテンツ供給サイト５はコンテンツ検索手段５３３にコンテンツ送信要求に含まれている購入予約情報のコンテンツ識別情報を元にデータベース５５のコンテンツ５５４を検索して、コンテンツ送信要求元ユーザが購入予約したコンテンツを取り出し、送信処理部５４を介してコンテンツ送信要求元のパソコン７宛て送信（ダウンロード）させる（ステップＴ１２）。
【００６７】
パソコン７側ではダウンロードされたコンテンツをメモリに記憶し（コンテンツが圧縮処理されている場合は解凍（伸張処理）したのち）、画面に表示して閲覧可能（音楽の場合はスピーカ又はイヤホンに出力して聴取可能）とすることができる（ステップＴ１３）。
【００６８】
また、この際、携帯電話機１側への転送操作（例えば、画面上の転送ボタンをクリックする）を行うことにより、クレードル６に装着されている携帯電話機１に転送し（ステップＳ１４）、携帯電話機１のＲＡＭ２１等のメモリに記憶させることもできる（ステップＴ１５）。
【００６９】
上記図６のフローチャートに示す動作により、携帯電話機１からパソコン７及びインターネット４を介して購入予約情報をコンテンツ供給サイト５に送信し、コンテンツ供給サイト５から購入予約したコンテンツをＡＤＳＬ（Ａｓｙｍｍｅｔｒｉｃ  Ｄｉｇｉｔａｌ  Ｓｕｂｓｃｒｉｂｅｒ  Ｌｉｎｅ）等の固定系ブロードバンド回線による安価な通信網を利用してインターネット４を介してパソコン７にダウンロードできるので、通信費用が携帯電話機に直接ダウンロードする場合よりも少なくて済む。つまり、高速（＝安価な通信経費で）に大容量コンテンツを入手することができる。
【００７０】
また、コンテンツが圧縮処理されている場合、携帯電話機１で解凍を行う場合の解凍時間よりパソコン７で解凍を行う場合の解凍時間のほうがメモリ容量等の関係上、短くて済むので、この点からも本発明により通信経費が節約できる。
【００７１】
なお、上記図６の説明では、説明上、携帯電話機１で購入予約する場合を例としたが、前述したように、図４のフローチャートを「コンテンツ購入」に適用できるように構成した場合は、「購入予約情報」を「購入成約情報」とし、図３の「予約処理手段５２１」を「購入処理手段５２１」とし、「予約情報ファイル５５２」を「契約情報ファイル５５２」とし、「予約番号」を「契約番号」とし、ステップＴ９のコンテンツ供給サイト５のクレジット番号等の要求動作とステップＴ１０のパソコン７側でのクレジット番号等の入力及び送信動作を省き、ステップＴ１２では課金情報ファイル５５３に確認済みフラグと確認日時が記憶されている場合は、コンテンツ送信要求元ユーザの課金データに決済済みフラグと決済日時を記憶して、ステップＴ１３に進むように構成する。なお、このステップＴ１２で課金情報ファイル５５３に確認済みフラグと確認日時が記憶されていない場合は、取引中止メッセージをパソコン７に送信するようにする。
【００７２】
＜変形例＞
上記実施例では、「購入予約情報」（又は、「購入成約情報」）をコンテンツ購入予約モード（又はコンテンツ購入モード）で携帯電話機１にダウンロードするようにしたが、コンテンツ自体を暗号化してデータベース５５に格納し、コンテンツ購入予約モード又はコンテンツ購入モード時に携帯電話機１には暗号を解く情報（解号情報）および購入予約情報（または購入成約情報）をダウンロードするように構成し、コンテンツ受信モードで、携帯電話機１がクレードル６に装着されると暗号を解く情報がパソコン７に転送され、コンテンツ供給サイト５はパソコン７からコンテンツ送信要求を受信すると、パソコン７に暗号化されたコンテンツをダウンロードし、パソコン７はコンテンツを受信するとクレードル６経由で受信した暗号を解く情報に基づいてダウンロードされたコンテンツを解号し、閲覧（聴取）可能とする、ように構成してもよい。また、情報表示兼情報出力端末でのコンテンツの閲覧又は聴取、或いは携帯端末へ送信するコンテンツはその都度、暗号化された（購入済の）コンテンツを解号しなければならないように構成することが望ましい。
【００７３】
これにより、暗号化したコンテンツを提供できるので、情報表示兼情報出力端末でのコンテンツの閲覧又は聴取、或いは携帯端末へ送信するコンテンツはその都度、暗号化された（購入済の）コンテンツを解号しなければならないようにしておくことにより、コンテンツの不正なコピーを防止できる。
【００７４】
なお、コンテンツは有料に限定されるものではない。
また、携帯電話とパソコンはブルートゥース、無線ＬＡＮ、ＵＷＢなどの無線で接続してもよい。
【００７５】
以上、本発明の一実施例について説明したが本発明は上記実施例に限定されるものではなく、種々の変形実施が可能であることはいうまでもない。
【００７６】
【発明の効果】
上記説明したように、本発明によれば、携帯電話機の通信時間が少なくてすむことから、携帯電話機にコンテンツを直接ダウンロードする場合に比べ、通信経費を節約できる。また、ブロードバンド回線網によりインターネットを利用することにより、大容量コンテンツを高速に入手できる。
【図面の簡単な説明】
【図１】本発明に基づくコンテンツ購入システムの一実施例を示す図である。
【図２】携帯電話機の内部構成例を示すブロック図である。
【図３】コンテンツ供給サイトの構成例を示すブロック図である。
【図４】コンテンツ購入予約モードにおける動作プログラムの動作例を示すフローチャートである。
【図５】コンテンツ購入予約モードで携帯電話機に表示される画面の例を示す図である。
【図６】コンテンツ受信モードにおける動作プログラムの動作例を示すフローチャートである。
【符号の説明】
１  携帯電話機（携帯電話）
２  基地局
３  センター
４  インターネット
５  コンテンツ供給サイト
６  クレードル
７  パソコン（コンピュータ）
２１  ＲＡＭ（メモリ）
５１  受信処理部
５２  予約処理部
５３  コンテンツ送信要求処理部
５４  送信処理部
５５  データベース
５２１  予約処理手段
５２２  購入予約登録手段
５２３  課金計算手段
５３１  認証手段
５３２  課金決済処理手段
５３３  コンテンツ検索手段
５５１  ユーザ情報ファイル
５５２  予約情報ファイル
５５３  課金情報ファイル
５５４  コンテンツ
【図１】
2005011148.tif 000003
【図２】
2005011148.tif 000004
【図３】
2005011148.tif 000005
【図４】
2005011148.tif 000006
【図５】
2005011148.tif 000007
【図６】
2005011148.tif 000008